【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
加圧下で流体をカプセル内に供給することによって物質を抽出及び／又は溶解することによって飲用可能な飲料を調製するための該物質を容れるカプセルであって、該カプセルは、カプセル本体中心軸を有するアルミニウムカプセル本体を備え、該アルミニウムカプセル本体は、底と、側壁と、外向きに延在しているフランジとを備え、該カプセルはさらに、該外向きに延在しているフランジに取り付けられたアルミニウム蓋を備え、該蓋は該カプセルを密閉的に閉じ、該カプセルはさらに、該飲料調製装置の囲み部材に流体封止接触を与えるために、該外向きに延在しているフランジに封止部材を備え、該カプセルが飲料調製装置の囲み部材内に置かれ、かつ該囲み部材が該飲料調製装置の閉じ部材、例えば該飲料調製装置の抽出プレート、によって閉じられる場合に、該カプセルの該外向きに延在しているフランジと該カプセルの該封止部材の少なくとも１部分とが、該飲料調製装置の該囲み部材と該閉じ部材との間で封止的に係合し、該飲料調製装置の該囲み部材は、環状要素中心軸と自由接触端部とを有する環状要素を備え、該環状要素の該自由接触端部は、半径方向に延在する複数の開放溝を任意的に備えてもよい、上記カプセルにおいて、
該封止部材は該外向きに延在するフランジと一体化され、かつ該外向きに延在するフランジから突出している少なくとも１つの突出部を備え、前記少なくとも１つの突出部は突出部頂部を備えている、ここで、該カプセルが該飲料調製装置の該囲み部材内に置かれかつ該囲み部材が該飲料調製装置の該閉じ部材によって閉じられている場合に、該少なくとも１つの突出部は、その突出部頂部が該環状要素の該自由接触端部に半径方向の力を及ぼすように構成されており、
該封止部材は、該外向きに延在するフランジから突出する別の突出部と、上記２つの突出部の間にプラトー部とを備えている、ここで、該２つの突出部の間の間隔は、該カプセルが該囲み部材内に置かれかつ該囲み部材が該閉じ部材によって閉じられる場合に、該環状要素の該自由接触端部が該２つの突出部の間に囲まれるようなものであり、
該２つの突出部のうちの第１の突出部が、該２つの突出部のうちの第２の突出部よりも、該外向きに延在するフランジのベース部分、但し、該ベース部分に該蓋が取り付けられる、からさらに突出している、上記カプセル。
【請求項２】
該プラトー部は、前記突出部の前記第１の突出部の該突出部頂部へよりも、前記突出部の前記第２の突出部頂部へ半径方向でより近い底端部を有している、請求項１に記載のカプセル。
【請求項３】
該２つの突出部のうちの第１の突出部は該２つの突出部のうちの第２の突出部に面する側に第１の円錐状傾斜側面を有し、そして該２つの突出部のうちの該第２の突出部は該２つの突出部のうちの該第１の突出部に面する側に第２の円錐状傾斜側面を有し、前記第１の側面は前記第２の側面よりもその頂端部からその低端部まで、より大きな寸法を有している、請求項１〜２の何れか１項に記載のカプセル。
【請求項４】
該２つの突出部のうちの第１の突出部は該２つの突出部のうちの第２の突出部に面する側に第１の円錐状傾斜側面を有し、そして該２つの突出部のうちの該第２の突出部は該２つの突出部のうちの該第１の突出部に面する側に第２の円錐状傾斜側面を有し、前記第１の側面は該蓋に対して第１の囲まれた角度で円錐母線を有し、前記第２の側面は該蓋に対して第２の囲まれた角度で円錐母線を有し、前記第１の角度は前記第２の角度よりも小さい、請求項１〜３の何れか１項に記載のカプセル。
【請求項５】
該第１の角度は４０°〜６０°の間にあり、好ましくは４５°より大きく且つ好ましくは５５°よりも小さい、請求項４に記載のカプセル。
【請求項６】
該第２の角度は６０°〜８５°の間にあり、好ましくは７０°より大きく且つ好ましくは８０°よりも小さい、請求項４または５に記載のカプセル。
【請求項７】
該２つの突出部のうちの第１の突出部は、３１．８〜３２．０ｍｍ、好ましくは３１．９ｍｍの直径で該カプセル軸の周りに延在する極頂部端を有し、ここで、該２つの突出部のうちの第２の突出部は、２９．７〜３０．０ｍｍ、好ましくは２９．８ｍｍの直径で該カプセル軸の周りに延在する極頂部端を有する、請求項１〜６の何れか１項に記載のカプセル。
【請求項８】
第２つの突出部のうちの該第１の突出部は、該２つの突出部のうちの外側の突出部である、請求項１〜７の何れか１項に記載のカプセル。
【請求項９】
該プラトー部が、該蓋から軸方向に間隔を空けられている、請求項１〜８の何れか１項に記載のカプセル。
【請求項１０】
該２つの突出部の間の間隔は、該カプセルが該囲み部材内に置かれかつ該囲み部材が該閉じ部材によって閉じられる場合に、該環状要素の該自由接触端部が該２つの突出部によって接触されるようなものである、請求項１〜９の何れか１項に記載のカプセル。
【請求項１１】
該２つの間隔を空けて配置された突出部と該プラトー部とは、該カプセルが該囲み部材内に置かれかつ該囲み部材が該閉じ部材によって閉じられる場合に、該環状要素の該自由接触端部が該プラトー部によって接触されるように配設されている、請求項１〜１０の何れか１項に記載のカプセル。
【請求項１２】
該カプセルが該囲み部材内に置かれかつ該囲み部材が該閉じ部材によって閉じられる場合に、該カプセルは該囲み部材のための支持部を含み、前記支持部は該環状要素の該自由接触端部の少なくとも１部分を取り囲み、そして前記支持部は該２つの突出部とこれらの間の該プラトー部とによって形成される、請求項１〜１１の何れか１項に記載のカプセル。
【請求項１３】
該プラトー部は実質的に平坦である、請求項１〜１２の何れか１項に記載のカプセル。
【請求項１４】
該プラトー部は湾曲部分を含み、
好ましくは、該プラトー部はＶ字形である、請求項１〜１２の何れか１項に記載のカプセル。
【請求項１５】
該封止構造と該カプセル本体の残部とは、同じ板材で作られている、請求項１〜１４の何れか１項に記載のカプセル。
【請求項１６】
カプセル内に加圧下で供給された流体を用いて該カプセルから飲用可能な飲料を調製するためのシステムであって、
該カプセルを受け取るための囲み部材を備える飲料調製装置であって、該囲み部材は、加圧下の流体を該カプセル内に供給するための流体注入手段を備え、該飲料調製装置はさらに、該飲料調製装置の該囲み部材を閉じるための閉じ部材、例えば抽出プレートを備え、該飲料調製装置の該囲み部材はさらに、環状要素中心軸および自由接触端部を有する環状要素を備え、該環状要素の前記自由接触端部は半径方向に延在している複数の開放溝を任意的に備えていてもよい、上記飲料調製装置と、
該飲料調製装置の該流体注入手段により加圧下で該カプセル内に供給された流体によって、物質を抽出及び／又は溶解することにより飲用可能な飲料を調製するための該物質を容れるカプセルであって、該カプセルは、カプセル本体中心軸を有するアルミニウムカプセル本体を備え、前記アルミニウムカプセル本体は、底と、側壁と、外向きに延在しているフランジとを備え、該カプセルはさらに、該外向きに延在しているフランジに取り付けられたアルミニウム蓋を備え、該蓋は該カプセルを密閉的に閉じる、ここで該カプセルはさらに、該飲料調製装置の該囲み部材との流体封止接触を与えるために、該外向きに延在するフランジに封止部材を備え、該カプセルが該飲料調製装置の囲み部材内に置かれかつ該囲み部材が該飲料調製装置の閉じ部材によって閉じられている場合に、該カプセルの該外向きに延在しているフランジと該カプセルの該封止部材の少なくとも１部分とが、該飲料調製装置の該囲み部材と該閉じ部材との間で封止的に係合されている、上記カプセルと、を備えている上記システムにおいて、
該封止部材は、該外向きに延在するフランジと一体化され、かつ該外向きに延在するフランジから突出する少なくとも１つの突出部を備え、前記少なくとも１つの突出部は突出部頂部を備え、該少なくとも１つの突出部は、該カプセルが該飲料調製装置の該囲み部材内に置かれかつ該囲み部材が該飲料調製装置の閉じ部材によって閉じられている場合に、その突出部頂部が該環状要素の該自由接触端部上に半径方向の力を働かせるように構成され、
該封止部材は、該外向きに延在するフランジから突出する別の突出部および前記２つの突出部の間にプラトー部を備え、該２つの突出部の間の間隔は、該カプセルが該飲料調製装置の囲み部材内に置かれかつ該囲み部材が該飲料調製装置の閉じ部材によって閉じられている場合に、該環状要素の該自由接触端部は、該二つの突出部の収束面の間に締め付けられるようなものであり、  
該２つの突出部のうちの第１の突出部は、該２つの突出部のうちの第２の突出部よりも、該外向きに延在するフランジのベース部分、但し、該ベース部分に該蓋が取り付けられる、からさらに突出しており、従って、該カプセルが該囲み部材内に置かれかつ該囲み部材が該閉じ部材によって閉じられている場合に、該環状要素の該自由接触端部は、該２つの突出部のうちの第１の突出部と最初に接触し、その後、該２つの突出部の第２の突出部と接触する、上記システム。
【請求項１７】
該２つの突出部のうちの第１の突出部が、該２つの突出部のうちの第２の突出部に面する側に第１の傾斜側面を有し、そして該２つの突出部のうちの該第２の突出部は、該２つの突出部のうちの該第１の突出部に面する側に第２の傾斜側面を有し、前記第１の側面は、前記第２の側面よりも、その頂端部からその低端部までより大きな寸法を有している、請求項１６に記載のシステム。
【請求項１８】
該２つの突出部のうちの第１の突出部が、該２つの突出部のうちの第２の突出部に面する側に第１の円錐状傾斜側面を有し、そして該２つの突出部のうちの該第２の突出部は、該２つの突出部のうちの該第１の突出部に面する側に第２の円錐状傾斜側面を有し、前記第１の側面は、該蓋に対して第１の囲まれた角度で円錐母線を有し、前記第２の側面は、該蓋に対して第２の囲まれた角度で円錐母線を有し、前記第１の角度は前記第２の角度よりも小さく、その結果、該カプセルが該囲み部材内に置かれかつ該囲み部材が該閉じ部材によって閉じられる場合に、該環状要素の該自由接触端部は、該２つの突出部のうちの該第１の突出部と最初に接触し、次に該２つの突出部のうちの該第２の突出部と接触する、請求項１６〜１７の何れか１項に記載のシステム。
【請求項１９】
該カプセルが該囲み部材内に置かれかつ該囲み部材が該閉じ部材によって閉じられる場合に、該環状要素の前記自由接触端部は、前記突出部の極頂部端から第１の半径方向距離で前記２つの突出部のうちの第１の突出部と接触し、そして前記第２の突出部の極頂部端から第２の半径方向距離で前記２つの突出部のうちの第２の突出部と接触し、ここで、該２つの突出部のうちの第１の突出部は、該システム軸の周りに第１の直径で延在する極頂部端を有し、前記２つの突出部のうちの該第２の突出部は、該システム軸の周りに前記第１の直径とは異なる第２の直径で極頂部端を有し、前記第１の半径方向距離が前記第２の半径方向距離よりも大きい、請求項１６〜１８の何れか１項に記載のシステム。
【請求項２０】
該環状要素の前記自由接触端部は、該カプセルが該囲み部材内に置かれかつ該囲み部材が該閉じ部材によって閉じられる場合に、前記第１の突出部と接触する第１の円周面部分を有し、そして該カプセルが該囲み部材内に置かれかつ該囲み部材が該閉じ部材によって閉じられる場合に、前記第２の突出部と接触する第２の円周面部分を有し、ここで該環状要素の前記自由接触端部は、複数の半径方向に延在する開放溝を備え、前記溝は前記第１の面部分においてよりも前記第２の面部分においてより深い、または前記溝は前記第１の面部分において存在しない、請求項１６〜１９の何れか１項に記載のシステム。
【請求項２１】
カプセルを受け取るための囲み部材を備える飲料調製装置における、請求項１〜１５の何れか１項に記載のカプセルの使用方法であって、該囲み部材は、加圧下の流体を該カプセル内に供給するための流体注入手段を備え、該飲料調製装置はさらに、該飲料調製装置の該囲み部材を閉じるための閉じ部材、例えば抽出プレートを備え、該飲料調製装置の該囲み部材はさらに、環状要素中心軸および自由接触端部を有する環状要素を備え、該環状要素の前記自由接触端部は、任意的に複数の半径方向の溝を備えており、
該カプセルは、該飲料調製装置の該流体注入手段により加圧下で該カプセル内に供給された流体によって物質を抽出及び／又は溶解することにより飲用可能な飲料を調製するための該物質を容れ、該カプセルは、カプセル本体中心軸を有するアルミニウムカプセル本体を備え、該アルミニウムカプセル本体は、底と、側壁と、外向きに延在しているフランジとを備え、該カプセルはさらに、該外向きに延在しているフランジに取り付けられたアルミニウム蓋を備え、該蓋は該カプセルを密閉的に閉じる、ここで、該カプセルが該飲料調製装置の囲み部材内に置かれ、かつ該囲み部材が該閉じ部によって閉じられる場合に、該飲料調製装置の該囲み部材と流体封止接触を与えるために、該カプセルはさらに該外向きに延在するフランジと一体化された封止部材を備え、従って、該カプセルの該外向きに延在しているフランジと該カプセルの該封止部材の少なくとも１部分とが、該飲料調製装置の該囲み部材と該閉じ部材との間で封止的に係合される、
上記使用方法。